(57)【要約】      （修正有）【課題】安価な構成によって軸受に対する防塵特性を向上させたモータを提供する。【解決手段】モータは、上下に延びる中心軸Ｃに沿って配置されるシャフト２１を有するロータ２０と、ロータと径方向に対向して配置されるステータと、ステータよりも上方に配置され、ステータに対してロータを中心軸回りに回転可能に支持する第１軸受４０と、ステータの少なくとも一部を内包するモータハウジングと、を備える。モータハウジングは、第１軸受の径方向外方に配置され、下方に延びる筒状の第１筒部７１１と、第１筒部の下方端部から径方向内方に延びる第１天板部７１２と、第１天板部の径方向内端部から下方に延びる筒状の第２筒部７１３と、を備える。第２筒部の径方向内面は、シャフトの径方向外面と径方向に間隙を介して配置される。【選択図】図４
2020036395.tif 000002
【特許請求の範囲】
【請求項１】
上下に延びる中心軸に沿って配置されるシャフトを有するロータと、
前記ロータと径方向に対向して配置されるステータと、
前記ステータよりも上方に配置され、前記ステータに対して前記ロータを前記中心軸回りに回転可能に支持する第１軸受と、
前記ステータの少なくとも一部を内包するモータハウジングと、
を備え、
前記モータハウジングは、
前記第１軸受の径方向外方に配置され、下方に延びる筒状の第１筒部と、
前記第１筒部の下方端部から径方向内方に延びる第１天板部と、
前記第１天板部の径方向内端部から下方に延びる筒状の第２筒部と、
を備え、
前記第２筒部の径方向内面は、前記シャフトの径方向外面と径方向に間隙を介して配置される、モータ。
【請求項２】
前記第２筒部と前記シャフトとの径方向間隙は、前記第１軸受の内輪の径方向幅よりも狭い、請求項１に記載のモータ。
【請求項３】
前記モータハウジングは、前記第２筒部の下方端部から径方向内方に延びる第２天板部を備え、
前記第２天板部と前記シャフトとの径方向間隙は、前記第２筒部と前記シャフトとの径方向間隙よりも狭い、請求項１または請求項２に記載のモータ。
【請求項４】
前記ロータは、前記シャフトの径方向外面に固定されるロータマグネットを備え、
前記第２筒部の下方端部と前記ロータマグネットの上方端部との軸方向間隙は、前記第２筒部の軸方向長さよりも短い、請求項１から請求項３のいずれかに記載のモータ。
【請求項５】
前記第２筒部の径方向外面は、前記ロータマグネットの径方向外面よりも径方向外方に配置される、請求項４に記載のモータ。
【請求項６】
前記ステータよりも下方に配置され、前記ステータに対して前記ロータを前記中心軸回りに回転可能に支持する第２軸受を備え、
前記モータハウジングは、
前記第２軸受の径方向外方に配置され、上方に延びる筒状の第３筒部と、
前記第３筒部の上方端部から径方向内方に延びる第３天板部と、
前記第３天板部の径方向内端部から上方に延びる筒状の第４筒部と、
を備え、
前記第４筒部の径方向内面は、前記シャフトの径方向外面と径方向に間隙を介して配置される、請求項１から請求項５のいずれかに記載のモータ。
【請求項７】
前記第４筒部と前記シャフトとの径方向間隙は、前記第２軸受の内輪の径方向幅よりも狭い、請求項６に記載のモータ。
【請求項８】
前記モータハウジングは、前記第４筒部の上方端部から径方向内方に延びる第４天板部を備え、
前記第４天板部と前記シャフトとの径方向間隙は、前記第４筒部と前記シャフトとの径方向間隙よりも狭い、請求項６または請求項７に記載のモータ。
【請求項９】
前記ロータは、前記シャフトの径方向外面に固定されるロータマグネットを備え、
前記第４筒部の上方端部と前記ロータマグネットの下方端部との軸方向間隙は、前記第４筒部の軸方向長さよりも短い、請求項６から請求項８のいずれかに記載のモータ。
【請求項１０】
前記第４筒部の径方向外面は、前記ロータマグネットの径方向外面よりも径方向内方に配置される、請求項９に記載のモータ。
【請求項１１】
前記モータハウジングの下方端部における下面に配置され、前記中心軸に交差する方向に広がる下板部を備え、
前記下板部の上面の少なくとも一部は、前記第２軸受の外輪の下面に接触する、請求項６から請求項１０のいずれかに記載のモータ。
【請求項１２】
請求項１から請求項１１のいずれかに記載のモータと、
前記モータの上方に配置され、前記シャフトに固定されるインペラと、
を有する、送風装置。
【請求項１３】
請求項１２に記載の送風装置を有する、掃除機。
【発明の詳細な説明】
【技術分野】
【０００１】
本発明は、モータ、送風装置及び掃除機に関する。
【背景技術】
【０００２】
モータのロータを回転可能に支持する軸受に関して、従来の転がり軸受が、特許文献１に開示されている。特許文献１で開示された転がり軸受は、内外輪間にわたってシールが装着される。さらに、この転がり軸受は、シールの軸方向外側で、且つ内外輪の少なくとも一方に、シールに隙間をおいて対向してシールを覆った円環形状のシールド板が装着される。これにより、転がり軸受の防水性及び防塵性を向上させることができる。
【先行技術文献】
【特許文献】
【０００３】
【特許文献１】特開平１１−２３０１７９公報
【発明の概要】
【発明が解決しようとする課題】
【０００４】
特許文献１で開示された従来の転がり軸受は、軸受自体が高価であることが懸念された。モータの軸受に対する防塵特性の向上のために、上記従来の転がり軸受をモータに適用すると、モータのコストが増加する可能性があった。
【０００５】
上記の点に鑑み、本発明は、安価な構成によって軸受に対する防塵特性を向上させることが可能なモータ、送風装置及び掃除機を提供することを目的とする。
【課題を解決するための手段】
【０００６】
本発明の例示的なモータは、上下に延びる中心軸に沿って配置されるシャフトを有するロータと、前記ロータと径方向に対向して配置されるステータと、前記ステータよりも上方に配置され、前記ステータに対して前記ロータを前記中心軸回りに回転可能に支持する第１軸受と、前記ステータの少なくとも一部を内包するモータハウジングと、を備える。前記モータハウジングは、前記第１軸受の径方向外方に配置され、下方に延びる筒状の第１筒部と、前記第１筒部の下方端部から径方向内方に延びる第１天板部と、前記第１天板部の径方向内端部から下方に延びる筒状の第２筒部と、を備える。前記第２筒部の径方向内面は、前記シャフトの径方向外面と径方向に間隙を介して配置される。
【０００７】
本発明の例示的な送風装置は、上記構成のモータと、前記モータの上方に配置され、前記シャフトに固定されるインペラと、を有する。
【０００８】
本発明の例示的な掃除機は、上記構成のモータを有する。
【発明の効果】
【０００９】
本発明の例示的なモータ、送風装置及び掃除機によれば、安価な構成によって軸受に対する防塵特性を向上させることが可能である。
【図面の簡単な説明】
【００１０】
【図１】図１は、本発明の実施形態に係るモータの一例の全体斜視図である。
【図２】図２は、本発明の実施形態に係るモータの縦断面を示す斜視図である。
【図３】図３は、本発明の実施形態に係るモータの縦断面図である。
【図４】図４は、モータの第１軸受周辺の部分縦断面図である。
【図５】図５は、モータの第２軸受周辺の部分縦断面図である。
【図６】図６は、変形例１のモータの縦断面図である。
【図７】図７は、変形例１のモータの第１軸受周辺の部分縦断面図である。
【図８】図８は、変形例１のモータの第２軸受周辺の部分縦断面図である。
【図９】図９は、変形例２のモータの第２軸受周辺の部分縦断面図である。
【図１０】図１０は、本発明の実施形態に係る送風装置の縦断面図である。
【図１１】図１１は、本発明の実施形態に係る掃除機の斜視図である。
【発明を実施するための形態】
【００１１】
以下、本発明の例示的な実施形態について、図面を参照しながら詳細に説明する。本書では、モータの中心軸が延びる方向を単に「軸方向」と呼び、モータの中心軸を中心として中心軸と直交する方向を単に「径方向」と呼び、モータの中心軸を中心とする円弧に沿う方向を単に「周方向」と呼ぶ。送風装置の中心軸は、モータの中心軸に一致する。また、本書では、説明の便宜上、軸方向を上下方向とし、図３、図６及び図１０における上下方向をモータ及び送風装置の上下方向として各部の形状及び位置関係を説明する。モータ及び送風装置の「上側」が「吸気側」であり、「下側」が「排気側」である。なお、この上下方向の定義は、モータ及び送風装置の使用時の向き及び位置関係を限定するものではない。
【００１２】
また、本書では、掃除機に関して、床面に近づく方向を「下」と呼び、床面から離れる方向を「上」と呼び、各部の形状及び位置関係を説明する。なお、これらの方向の定義は、掃除機の使用時の向き及び位置関係を限定するものではない。また、送風装置を駆動させた際に吸気側から排気側へと流れる空気の流通方向に関して、「上流側」、「下流側」として位置関係を説明する場合がある。また、本書では、軸方向に平行な断面を「縦断面」と呼ぶ。また、本書で用いる「平行」、「直交」は、厳密な意味で平行、直交を表すものではなく、略平行、略直交を含む。
【００１３】
＜１．モータの構成＞
＜１−１．モータの概略構成＞
図１は、本発明の実施形態に係るモータ１の一例の全体斜視図である。図２は、本発明の実施形態に係るモータ１の縦断面を示す斜視図である。図３は、本発明の実施形態に係るモータ１の縦断面図である。モータ１は、ロータ２０と、ステータ３０と、第１軸受４０と、モータハウジング６０と、を有する。モータ１は、さらに第２軸受５０を有する。
【００１４】
ロータ２０は、ステータ３０の径方向内方に配置される。ロータ２０は、上下に延びる中心軸Ｃに沿って配置されるシャフト２１を有する。シャフト２１は、例えば金属で構成される上下に延びる柱状の部材である。ロータ２０は、さらにロータマグネット２２を備える。ロータマグネット２２は、円筒状であり、内側に挿入されたシャフト２１に固定される。
【００１５】
ステータ３０は、ロータ２０の径方向外方に配置される。ステータ３０は、ロータ２０と径方向に対向して配置される。ステータ３０は、ステータコア３１と、インシュレータ３２と、コイル３３と、を有する。
【００１６】
ステータコア３１は、コアバック部３１１と、複数のティース部３１２と、を有する。コアバック部３１１は、中心軸Ｃを中心とした環状である。複数のティース部３１２は、コアバック部３１１の内周面から径方向内方に向かって延びる。複数のティース部３１２は、周方向に所定間隔で配列される。ステータコア３１は、複数のコアピースを接合して構成しても良い。ステータコア３１は、複数枚の電磁鋼板を上下に積層して構成しても良い。
【００１７】
インシュレータ３２は、ステータコア３１に配置される。インシュレータ３２は、ティース部３１２の外面を囲んで設けられる。インシュレータ３２は、ステータコア３１と、コイル３３との間に配置される。インシュレータ３２は、例えば樹脂等の絶縁部材で構成される。なお、ティース部３１２の、ロータマグネット２２との対向部は、インシュレータ３２から露出する。
【００１８】
コイル３３は、複数のティース部３１２それぞれにおいて、インシュレータ３２の周囲に巻き回された導線で構成される。すなわち、ティース部３１２と、コイル３３との間には、インシュレータ３２が介在する。ティース部３１２と、コイル３３とは、インシュレータ３２によって、互いに電気的に絶縁される。複数のコイル３３は、周方向に所定間隔で配列される。
【００１９】
第１軸受４０及び第２軸受５０は、軸方向上下一対で配置される。第１軸受４０は、ステータ３０よりも上方に配置され、ステータ３０に対してロータ２０を中心軸Ｃ回りに回転可能に支持する。第２軸受５０は、ステータ３０よりも下方に配置され、ステータ３０に対してロータ２０を中心軸Ｃ回りに回転可能に支持する。第１軸受４０及び第２軸受５０は、モータハウジング６０に固定される。第１軸受４０の内方及び第２軸受５０の内方には、シャフト２１が固定される。すなわち、第１軸受４０及び第２軸受５０は、モータハウジング６０に対してシャフト２１を中心軸Ｃ回りに回転可能に支持する。第１軸受４０及び第２軸受５０は、例えば転がり軸受で構成される。
【００２０】
モータハウジング６０は、ステータ３０の少なくとも一部を内包する。モータハウジング６０は、上ハウジング部６１と、下ハウジング部６２と、を有する。
【００２１】
上ハウジング部６１は、上板部６１１と、複数の上接続部６１２と、上軸受保持部７１と、を備える。上板部６１１は、中心軸Ｃを中心として径方向に広がる円板状である。複数の上接続部６１２は、上板部６１１の径方向外端部から軸方向下方に延びる。複数の上接続部６１２は、周方向に所定間隔で配列される。上軸受保持部７１は、上板部６１１の中心軸Ｃ付近であって、上板部６１１の中央部に配置される。上軸受保持部７１の中央部には、シャフト２１が上下に貫通する。上軸受保持部７１の内面には、第１軸受４０が保持される。上軸受保持部７１の詳細な構成は、後述する。
【００２２】
下ハウジング部６２は、フレーム部６２１と、複数の下接続部６２２と、下軸受保持部７２と、を備える。フレーム部６２１は、中心軸Ｃを中心として径方向に放射状に延びる棒状である。複数の下接続部６２２は、それぞれフレーム部６２１の１つの径方向外端部から軸方向上方に延びる。複数の下接続部６２２は、周方向に所定間隔で配列される。下軸受保持部７２は、フレーム部６２１の中心軸Ｃ付近であって、フレーム部６２１の中央部に配置される。下軸受保持部７２の中央部には、シャフト２１が上下に貫通する。下軸受保持部７２の内面には、第２軸受５０が保持される。下軸受保持部７２の詳細な構成は、後述する。
【００２３】
複数の上接続部６１２と、複数の下接続部６２２とは、それぞれ軸方向に対向して隣接する。上接続部６１２及び下接続部６２２には、例えばネジである固定部材６３が配置される。上ハウジング部６１と、下ハウジング部６２とは、固定部材６３によって接続されて固定される。
【００２４】
上記構成のモータ１において、コイル３３に駆動電流が供給されると、ステータコア３１に径方向の磁束が生じる。ステータ３０の磁束によって生じる磁界と、ロータマグネット２２によって生じる磁界とが作用し、ロータ２０の周方向にトルクが生じる。このトルクによって、ロータ２０が、中心軸Ｃを中心として回転する。
【００２５】
＜１−２．モータの第１軸受周辺の詳細構成＞
図４は、モータ１の第１軸受４０周辺の部分縦断面図である。上軸受保持部７１は、第１筒部７１１と、第１天板部７１２と、第２筒部７１３と、を備える。すなわち、モータハウジング６０は、第１筒部７１１と、第１天板部７１２と、第２筒部７１３と、を備える。
【００２６】
第１筒部７１１は、第１軸受４０の径方向外方に配置される。第１筒部７１１は、下方に延びる筒状である。本実施形態においては、第１筒部７１１は、上板部６１１の径方向内縁に配置されている。また、第１筒部７１１は、モータハウジング６０の上方端部から下方に延びている。第１筒部７１１の上方は、軸方向に開口する。第１筒部７１１の内面には、第１軸受４０が固定される。第１筒部７１１は、第１軸受４０と径方向に対向する。
【００２７】
第１天板部７１２は、第１筒部７１１の下方端部から径方向内方に延びる。第１天板部７１２は、中心軸Ｃを中心として径方向に広がる円板状である。第１天板部７１２は、第１軸受４０の下方に配置される。第１天板部７１２は、第１軸受４０と軸方向に対向して近接する。
【００２８】
第２筒部７１３は、第１天板部７１２の径方向内端部から下方に延びる筒状である。第２筒部７１３は、シャフト２１の径方向外方に配置される。第２筒部７１３は、シャフト２１と径方向に対向する。そして、第２筒部７１３の径方向内面は、シャフト２１の径方向外面と径方向に間隙Ｓ２１を介して配置される。
【００２９】
上記の構成によれば、間隙Ｓ２１によって第１軸受４０の周辺にラビリンス構造を形成することができる。すなわち、モータハウジング６０内の塵埃が、第１軸受４０まで到達することを抑制することができる。また、ラビリンス構造を形成することによって第１軸受４０を介してモータハウジング６０の内部と外部とを連通する空気の流れが抑制されるため、他の実施形態において、空気が第１軸受４０を介してモータハウジング６０の外部から内部へ流れる場合においても、モータハウジング６０の外部の塵埃が、第１軸受４０に到達することを抑制できる。したがって、安価な構成によって第１軸受４０に対する防塵特性を向上させることが可能である。
【００３０】
第１軸受４０は、内輪４１と、外輪４２と、転動体４３と、を有する。第２筒部７１３とシャフト２１との径方向間隙Ｓ２１は、第１軸受４０の内輪４１と軸方向に対向して近接する。第２筒部７１３とシャフト２１との径方向間隙Ｓ２１は、第１軸受４０の内輪４１の径方向幅Ｂｗ１よりも狭い。この構成によれば、塵埃が、第１軸受４０の内輪４１と外輪４２との間まで到達することを抑制することができる。したがって、第１軸受４０に対する防塵特性を一層高めることが可能である。
【００３１】
ロータ２０は、ロータマグネット２２を備える。ロータマグネット２２は、シャフト２１の径方向外面に固定される。第２筒部７１３は、ロータマグネット２２の上方に配置される。第２筒部７１３は、ロータマグネット２２と軸方向に対向して近接する。第２筒部７１３の下方端部とロータマグネット２２の上方端部との軸方向間隙Ｍｓ２は、第２筒部７１３の軸方向長さＬ２よりも短い。この構成によれば、モータハウジング６０内の塵埃が、第２筒部７１３とロータマグネット２２との軸方向間隙Ｍｓ２へ侵入することを抑制することが可能である。したがって、第２筒部７１３とロータマグネット２２との軸方向間隙Ｍｓ２から第１軸受４０に塵埃が侵入することを抑制することができる。
【００３２】
＜１−３．モータの第２軸受周辺の詳細構成＞
図５は、モータ１の第２軸受５０周辺の部分縦断面図である。下軸受保持部７２は、第３筒部７２１と、第３天板部７２２と、第４筒部７２３と、を備える。すなわち、モータハウジング６０は、第３筒部７２１と、第３天板部７２２と、第４筒部７２３と、を備える。
【００３３】
第３筒部７２１は、第２軸受５０の径方向外方に配置される。第３筒部７２１は、上方に延びる筒状である。本実施形態においては、第３筒部７２１は、下ハウジング６２の径方向内縁に配置されている。また、第３筒部７２１は、モータハウジング６０の下方端部から上方に延びている。第３筒部７２１の下方は、軸方向に開口する。第３筒部７２１の内面には、第２軸受５０が固定される。第３筒部７２１は、第２軸受５０と径方向に対向する。
【００３４】
第３天板部７２２は、第３筒部７２１の上方端部から径方向内方に延びる。第３天板部７２２は、中心軸Ｃを中心として径方向に広がる円板状である。第３天板部７２２は、第２軸受５０の上方に配置される。第３天板部７２２は、第２軸受５０と軸方向に対向して近接する。
【００３５】
第４筒部７２３は、第３天板部７２２の径方向内端部から上方に延びる筒状である。第４筒部７２３は、シャフト２１の径方向外方に配置される。第４筒部７２３は、シャフト２１と径方向に対向する。そして、第４筒部７２３の径方向内面は、シャフト２１の径方向外面と径方向に間隙Ｓ４１を介して配置される。
【００３６】
上記の構成によれば、間隙Ｓ４１によって第２軸受５０の周辺にラビリンス構造を形成することができる。すなわち、モータハウジング６０内の塵埃が、第２軸受５０まで到達することを抑制することができる。また、ラビリンス構造を形成することによって第２軸受５０を介してモータハウジング６０の内部と外部とを連通する空気の流れが抑制されるため、他の実施形態において、空気が第２軸受５０を介してモータハウジング６０の外部から内部へ流れる場合においても、モータハウジング６０の外部の塵埃が、第２軸受５０に到達することを抑制できる。したがって、安価な構成によって第２軸受５０に対する防塵特性を向上させることが可能である。
【００３７】
第２軸受５０は、内輪５１と、外輪５２と、転動体５３と、を有する。第４筒部７２３とシャフト２１との径方向間隙Ｓ４１は、第２軸受５０の内輪５１と軸方向に対向して近接する。第４筒部７２３とシャフト２１との径方向間隙Ｓ４１は、第２軸受５０の内輪５１の径方向幅Ｂｗ２よりも狭い。この構成によれば、塵埃が、第２軸受５０の内輪５１と外輪５２との間まで到達することを抑制することができる。したがって、第２軸受５０に対する防塵特性を一層高めることが可能である。
【００３８】
ロータマグネット２２は、シャフト２１の径方向外面に固定される。第４筒部７２３は、ロータマグネット２２の下方に配置される。第４筒部７２３は、ロータマグネット２２と軸方向に対向して近接する。第４筒部７２３の上方端部とロータマグネット２２の下方端部との軸方向間隙Ｍｓ４は、第４筒部７２３の軸方向長さＬ４よりも短い。この構成によれば、モータハウジング６０内の塵埃が、第４筒部７２３とロータマグネット２２との軸方向間隙Ｍｓ４へ侵入することを抑制することが可能である。したがって、第４筒部７２３とロータマグネット２２との軸方向間隙Ｍｓ４から第２軸受５０に塵埃が侵入することを抑制することができる。
【００３９】
＜１−４．モータの変形例１＞
図６は、変形例１のモータ１の縦断面図である。変形例１のモータ１は、第１軸受４０と、第２軸受５０と、モータハウジング６０と、を有する。モータハウジング６０は、上軸受保持部８１と、下軸受保持部８２と、を備える。
【００４０】
図７は、変形例１のモータ１の第１軸受４０周辺の部分縦断面図である。上軸受保持部８１は、第１筒部８１１と、第１天板部８１２と、第２筒部８１３と、を備える。第１筒部８１１、第１天板部８１２及び第２筒部８１３の構成は、先に図４を用いて説明した第１筒部７１１、第１天板部７１２及び第２筒部７１３の構成と略同じであるので、ここでは説明を省略する。
【００４１】
上軸受保持部８１は、さらに第２天板部８１４を備える。すなわち、モータハウジング６０は、さらに第２天板部８１４を備える。第２天板部８１４は、第２筒部８１３の下方端部から径方向内方に延びる。第２天板部８１４は、中心軸Ｃを中心として径方向に広がる円板状である。第２天板部８１４は、シャフト２１の径方向外方に配置される。第２天板部８１４は、シャフト２１と径方向に対向する。そして、第２天板部８１４とシャフト２１との径方向間隙Ｓ２２は、第２筒部８１３とシャフト２１との径方向間隙Ｓ２１よりも狭い。
【００４２】
上記変形例１の構成によれば、第２筒部８１３の軸方向全域にわたって、シャフト２１との径方向間隙Ｓ２１を精度良く管理する必要がない。したがって、安価な構成によって第１軸受４０に対する防塵特性を向上させることができ、且つモータハウジング６０の生産性を向上させることが可能である。
【００４３】
第２筒部８１３は、ロータマグネット２２の上方に配置される。第２筒部８１３は、ロータマグネット２２と軸方向に対向して近接する。第２筒部８１３の外径は、ロータマグネット２２の外径よりも大きい。すなわち、第２筒部８１３の径方向外面は、ロータマグネット２２の径方向外面よりも径方向外方に配置される。
【００４４】
この構成によれば、例えば第２筒部８１３とロータマグネット２２との軸方向間隙Ｍｓ２の径方向外方において上方から下方に移動する塵埃は、ロータマグネット２２の上端面を径方向内方に向かって流れず、ロータマグネット２２の径方向外方を下方に移動し易くなる。すなわち、第２筒部８１３とロータマグネット２２との軸方向間隙Ｍｓ２に塵埃が侵入することを抑制することができる。したがって、第２筒部８１３の内側に塵埃が侵入することを抑制することが可能である。
【００４５】
図８は、変形例１のモータ１の第２軸受５０周辺の部分縦断面図である。下軸受保持部８２は、第３筒部８２１と、第３天板部８２２と、第４筒部８２３と、を備える。第３筒部８２１、第３天板部８２２及び第４筒部８２３の構成は、先に図５を用いて説明した第３筒部７２１、第３天板部７２２及び第４筒部７２３の構成と略同じであるので、ここでは説明を省略する。
【００４６】
下軸受保持部８２は、さらに第４天板部８２４を備える。すなわち、モータハウジング６０は、さらに第４天板部８２４を備える。第４天板部８２４は、第４筒部８２３の上方端部から径方向内方に延びる。第４天板部８２４は、中心軸Ｃを中心として径方向に広がる円板状である。第４天板部８２４は、シャフト２１の径方向外方に配置される。第４天板部８２４は、シャフト２１と径方向に対向する。そして、第４天板部８２４とシャフト２１との径方向間隙Ｓ４２は、第４筒部８２３とシャフト２１との径方向間隙Ｓ４１よりも狭い。
【００４７】
上記変形例１の構成によれば、第４筒部８２３の軸方向全域にわたって、シャフト２１との径方向間隙Ｓ４１を精度良く管理する必要がない。したがって、安価な構成によって第２軸受５０に対する防塵特性を向上させることができ、且つモータハウジング６０の生産性を向上させることが可能である。
【００４８】
第４筒部８２３は、ロータマグネット２２の下方に配置される。第４筒部８２３は、ロータマグネット２２と軸方向に対向して近接する。第４筒部８２３の外径は、ロータマグネット２２の外径よりも小さい。すなわち、第４筒部８２３の径方向外面は、ロータマグネット２２の径方向外面よりも径方向内方に配置される。
【００４９】
この構成によれば、例えば第４筒部８２３とロータマグネット２２との軸方向間隙Ｍｓ４の径方向外方において上方から下方に移動する塵埃は、第４筒部８２３の上端面を径方向内方に向かって流れることなく、第４筒部８２３の径方向外方を下方に移動する。すなわち、第４筒部８２３とロータマグネット２２との軸方向間隙Ｍｓ４に塵埃が侵入することを抑制することができる。したがって、第４筒部８２３の内側に塵埃が侵入することを抑制することが可能である。
【００５０】
＜１−５．モータの変形例２＞
図９は、変形例２のモータ１の第２軸受５０周辺の部分縦断面図である。変形例２のモータ１は、下板部９１を備える。
【００５１】
下板部９１は、モータハウジング６０の下方端部における下面に配置される。下板部９１は、中心軸Ｃを中心として径方向に広がる円板状である。すなわち、下板部９１は、中心軸Ｃに交差する方向に広がる。
【００５２】
下板部９１は、突出部９１１を備える。突出部９１１は、下板部９１の中心軸Ｃ付近であって、下板部９１の中央部に配置される。本実施形態では、突出部９１１は、下板部９１の上面から上方に延びる筒状である。突出部９１１は、第３筒部８２１の径方向内方に配置される。突出部９１１は、第３筒部８２１と径方向に対向して近接する。
【００５３】
突出部９１１の上方端部は、第２軸受５０の外輪５２の下面に接触する。すなわち、下板部９１の上面の少なくとも一部は、第２軸受５０の外輪５２の下面に接触する。この構成によれば、下板部９１によって第２軸受５０を固定することができ、且つ第２軸受５０に対する防塵特性を向上させることができる。
【００５４】
＜２．送風装置の構成＞
図１０は、本発明の実施形態に係る送風装置１００の縦断面図である。送風装置１００は、上記構成のモータ１と、インペラ１１０と、を有する。さらに、送風装置１００は、インペラカバー１２０を有する。
【００５５】
＜２−１．インペラの構成＞
インペラ１１０は、インペラカバー１２０の径方向内方に配置される。インペラ１１０は、モータ１の上方に配置され、シャフト２１に固定される。インペラ１１０は、上下に延びる中心軸Ｃ回りに、シャフト２１とともに回転する。
【００５６】
インペラ１１０は、例えば金属部材で構成される。インペラ１１０の径方向外縁は、軸方向から見て、円形である。インペラ１１０は、ベース板１１１と、複数の羽根１１２と、シュラウド１１３と、ハブ１１４と、を有する。
【００５７】
ベース板１１１は、インペラ１１０の下部に配置される。ベース板１１１は、中心軸Ｃを中心として径方向に広がる。ベース板１１１は、円板状部材である。ベース板１１１は、羽根１１２の下部を支持する。
【００５８】
羽根１１２は、ベース板１１１の上方に配置される。インペラ１１０は、複数の羽根１１２を有する。複数の羽根１１２は、ベース板１１１の上面において周方向に配列される。複数の羽根１１２のそれぞれの下部は、ベース板１１１に接続される。複数の羽根１１２それぞれの上部は、シュラウド１１３に接続される。羽根１１２は、上下に起立する板状部材である。羽根１１２は、径方向内方から径方向外方に向かって延び、周方向に湾曲する。
【００５９】
シュラウド１１３は、複数の羽根１１２の上方に配置される。シュラウド１１３は、軸方向から見て、径方向内端及び径方向外端がそれぞれ円形の、環状の板状部材である。シュラウド１１３は、径方向外端から径方向内方に向かうに従って上方に湾曲する。シュラウド１１３は、上下に開口する吸気口１１３ａを有する。吸気口１１３ａは、シュラウド１１３の中心軸Ｃ付近であって、シュラウド１１３の中央部に配置される。シュラウド１１３は、羽根１１２の上部を支持する。
【００６０】
ハブ１１４は、ベース板１１１の中心軸Ｃ付近であって、ベース板１１１の中央部に配置される。ハブ１１４は、軸方向から見て円形である。シャフト２１は、ハブ１１４の中央部において中心軸Ｃに沿って上下にハブ１１４を貫通し、ハブ１１４に固定される。このようにして、インペラ１１０は、シャフト２１に固定される。
【００６１】
＜２−２．インペラカバーの構成＞
インペラカバー１２０は、モータ１の上方に配置される。インペラカバー１２０は、インペラ１１０を内包する。
【００６２】
インペラカバー１２０は、インペラ１１０の上方に配置される。インペラカバー１２０は、上方に向かって先細りの円筒形状である。インペラカバー１２０の径方向外端部は、上ハウジング部６１の径方向外端部に固定される。
【００６３】
インペラカバー１２０は、上下に開口する吸気口１２０ａを有する。吸気口１２０ａは、インペラカバー１２０の上端部であって、径方向中央部に配置される。インペラカバー１２０の吸気口１２０ａの下部は、シュラウド１１３の吸気口１１３ａの上部と径方向に重なる。インペラカバー１２０の吸気口１２０ａの下部の外径は、シュラウド１１３の吸気口１１３ａの上部の内径よりも小さい。
【００６４】
インペラ１１０がモータ１によって回転駆動されると、空気はインペラカバー１２０の吸気口１２０ａからインペラ１１０の内部に吸い込まれる。インペラ１１０の内部に吸い込まれた空気は、インペラ１１０によって径方向外方へと案内され、さらにインペラ１１０の径方向外方に向かって吹き出される。インペラ１１０の径方向外方に吹き出された空気は、下方に案内され、さらにモータ１の径方向外方を下方へと送られる。
【００６５】
上記構成の送風装置１００は、モータ１を有する。これにより、送風装置１００において、モータ１の第１軸受４０及び第２軸受５０に対する防塵特性を向上させることができる。
【００６６】
＜３．掃除機の構成＞
図１１は、本発明の実施形態に係る掃除機２００の斜視図である。掃除機２００は、上記構成の送風装置１００を有する。すなわち、掃除機２００は、上記構成のモータ１を有する。掃除機２００は、いわゆるスティック型の電気掃除機である。なお、掃除機２００はいわゆるロボット型、キャニスター型またはハンディ型等のいずれの電気掃除機でも良い。
【００６７】
掃除機２００は、下面及び上面にそれぞれ吸気部２０２及び排気部２０３を開口する筐体２０１を有する。掃除機２００は、筐体２０１の内部にバッテリ（不図示）を有し、当該バッテリから供給される電力によって作動する。なお、掃除機２００は、電源コードを有し、部屋の壁面等に設けられた電源コンセントに接続された電源コードを介して供給される電力によって作動することにしても良い。
【００６８】
筐体２０１の内部には、吸気部２０２と排気部２０３とを連結する空気通路（不図示）が設けられる。空気通路の内部には、空気流通方向の上流側から下流側に向かって、集塵部（不図示）、フィルタ（不図示）及び送風装置１００が順に配置される。なお、掃除機２００において、送風装置１００は、吸気口１２０ａが下方を向くように配置される。空気通路の内部を流通する空気に含まれる塵埃等のゴミは、フィルタにより捕集され、容器状の集塵部に貯留される。これにより、掃除機２００は、床面Ｆを清掃することが可能である。なお、集塵部及びフィルタは、筐体２０１に対して着脱可能に構成される。
【００６９】
筐体２０１の上部には、把持部２０４及び操作部２０５が設けられる。使用者は、把持部２０４を把持して掃除機２００を移動させることが可能である。操作部２０５は、複数のボタン２０５ａを有する。使用者は、ボタン２０５ａを操作することで、掃除機２００の動作指示及び動作設定を行うことが可能である。例えば、ボタン２０５ａの操作により、送風装置１００の駆動開始、駆動停止、及び回転数の変更等を指示することが可能である。
【００７０】
吸気部２０２には、略直線状に延びる吸引管２０６の下流端、すなわち図１１における吸引管２０６の上端が接続される。吸引管２０６の上流端、すなわち図１１における吸引管２０６の下端には、吸引ノズル２０７が吸引管２０６に対して着脱可能に取り付けられる。
【００７１】
上記構成の掃除機２００は、モータ１を有する。これにより、掃除機２００において、モータ１の第１軸受４０及び第２軸受５０に対する防塵特性を向上させることができる。
【００７２】
＜４．その他＞
以上、本発明の実施形態につき説明したが、本発明の範囲はこれに限定されるものではなく、発明の主旨を逸脱しない範囲で種々の変更を加えて実施することができる。また、上記実施形態やその変形例は適宜任意に組み合わせることができる。
【００７３】
また、送風装置１００は、掃除機に限らず、種々のＯＡ機器、医療機器、輸送機器、または掃除機以外の家庭用電気製品などに搭載されても良い。
【産業上の利用可能性】
【００７４】
本発明は、例えば掃除機などの送風装置を有する電気機器において利用可能である。
【符号の説明】
【００７５】
１・・・モータ、２０・・・ロータ、２１・・・シャフト、２２・・・ロータマグネット、３０・・・ステータ、３１・・・ステータコア、３２・・・インシュレータ、３３・・・コイル、４０・・・第１軸受、４１・・・内輪、４２・・・外輪、４３・・・転動体、５０・・・第２軸受、５１・・・内輪、５２・・・外輪、５３・・・転動体、６０・・・モータハウジング、６１・・・上ハウジング部、６２・・・下ハウジング部、６３・・・固定部材、７１・・・上軸受保持部、７２・・・下軸受保持部、８１・・・上軸受保持部、８２・・・下軸受保持部、９１・・・下板部、１００・・・送風装置、１１０・・・インペラ、１１１・・・ベース板、１１２・・・羽根、１１３・・・シュラウド、１１３ａ・・・吸気口、１１４・・・ハブ、１２０・・・インペラカバー、１２０ａ・・・吸気口、２００・・・掃除機、２０１・・・筐体、２０２・・・吸気部、２０３・・・排気部、２０４・・・把持部、２０５・・・操作部、２０５ａ・・・ボタン、２０６・・・吸引管、２０７・・・吸引ノズル、３１１・・・コアバック部、３１２・・・ティース部、６１１・・・上板部、６１２・・・上接続部、６２１・・・フレーム部、６２２・・・下接続部、７１１・・・第１筒部、７１２・・・第１天板部、７１３・・・第２筒部、７２１・・・第３筒部、７２２・・・第３天板部、７２３・・・第４筒部、８１１・・・第１筒部、８１２・・・第１天板部、８１３・・・第２筒部、８１４・・・第２天板部、８２１・・・第３筒部、８２２・・・第３天板部、８２３・・・第４筒部、８２４・・・第４天板部、９１１・・・突出部、Ｂｗ１・・・径方向幅、Ｂｗ２・・・径方向幅、Ｃ・・・中心軸、Ｆ・・・床面、Ｌ２・・・軸方向長さ、Ｌ４・・・軸方向長さ、Ｍｓ２・・・軸方向間隙、Ｍｓ４・・・軸方向間隙、Ｓ２１・・・径方向間隙、Ｓ２２・・・径方向間隙、Ｓ４１・・・径方向間隙、Ｓ４２・・・径方向間隙
【図１】
2020036395.tif 000003
【図２】
2020036395.tif 000004
【図３】
2020036395.tif 000005
【図４】
2020036395.tif 000006
【図５】
2020036395.tif 000007
【図６】
2020036395.tif 000008
【図７】
2020036395.tif 000009
【図８】
2020036395.tif 000010
【図９】
2020036395.tif 000011
【図１０】
2020036395.tif 000012
【図１１】
2020036395.tif 000013